(57)【要約】      （修正有）【課題】寝る時に被る蚊帳で、人が横になる場所があれば釣り具も必要なく防虫対策ができる蚊帳を提供する。【解決手段】蚊帳の網は、上部には顔がゆったり入る大枠２と下部には足首がゆったりと入る大枠２’からなり、網１の裾にはスカート状付縁３が周囲に設けられている。適宜に大きな寸法の網の、左右上下を手繰り寄せて網の面積を縮めることによって、網の長さが縮み網の様に脹らみ、弛み、分厚くなる。【選択図】図１
0003198907.tif 000002
【実用新案登録請求の範囲】
【請求項１】
網の厚みは蚊の口器の長さよりも厚みがある網を設けたことを特徴とする人が寝る時に被る蚊帳。
【請求項２】
網に強度を付けるため適宜な枠からなる桟を設けてなることを特徴とする請求項１記載の人が寝る時に被る蚊帳。
【考案の詳細な説明】
【技術分野】
【０００１】  本考案は、寝る時に被る蚊帳に関する物である。
【背景技術】
【０００２】  従来，一般的な蚊帳は、寝床の部屋の四本柱の上部に、釘またネジ込みフックを四ヶ所設けて、蚊帳の吊り紐を引っ掛けて使用していた。【０００３】  最近の新住宅構造では、ボード材が貼られているので釘、ネジなどは使用できなく。殺虫剤を多く使用するようになった。【０００４】  ２０１４年８月末、蚊により発生したデング熱騒ぎの初期の時点では。蚊の飛行は、そんなに飛ばないので心配ないとテレビニュースで放映されていたが、感染された人の移動により数日で広範囲に広がつて騒がれた。
国立感染症研究所のインターネット発表によれば、（２０１４年１０月１４日改正）
ネッタイシマカなどの蚊によって媒介されるデングウイルスはフラビウイルス科に属し、４種の血清型が存在する、比較的軽症のデング熱と重症型のデング熱とがある、実用化されている予防ワクチンはまだない。フィリピンでは、デング熱により毎年数万人が亡くなっており感染の予防が急務とされている。ブラジルではデング熱が大流行していた。（ブラジルニツケイ新聞）
２０１４年８月末に東京、代々木公園，高校性３人が蚊に刺されてデング熱と診断された。９月２日時点で感染者３０数人だが、いずれも熱帯、亜熱帯地域への渡航歴はなく，このままのペースで気温上昇が続けば人から人へ直接感染蚊に刺されるリスクの可能性がある。２０１５年４月２０日ＮＨＫ放送では去年８月感染者１６２名でした、とのことでした。
【考案の概要】
【考案が解決しようとする課題】
【０００５】  以前はどの家庭でも蚊が発生する時期、寝床には蚊帳を吊って防虫具としていた。
世の中は変わり安価で良い建物が手に入るようになり建築構造は変わり、軽量鉄骨製、室内はボード貼、寝室では木柱はなく、蚊帳も吊れない状態の住居に変わった。【０００６】  ２０１４年、デング熱が発生し流行しかかったが幸い次期が過ぎ、大事にいたらなかつた。しかし来次期デング熱の発生時期に毎晩、香取線香、電気香取を焚き、部屋中殺虫スプレイを吹き付けては、健康的に害するものであり、自然災害避難時は大きな施設内では殺虫剤は、効果は少なくデング熱の感染が懸念される。【０００７】  新住居に於いても蚊帳を吊って寝るのが最適だが、最近の新しい住居では部屋に吊り具を設置するには、ボードの壁は、釘、ネジ付の設置は難しく、石骨ボードは割れたり、抜けたり、取り付けは難しい。【０００８】  また従来の蚊帳は、側面四面，上面一面の五面から成り、網の材料は多く使われているので高価であり、また蚊帳の取り付け、取り外し、片ずけ作業は難儀であつた。【０００９】本考案の寝る時に被る蚊帳は、このような問題を解決し大きな施設であっても、人が横になれる寝床の場所があれば、大変簡単に蚊帳を設けることができるものである。
【課題を解決するための手段】
【００１０】  上記目的を達成するための本考案は図１、寝る時に被る蚊帳である。
（蚊の口器は１ミリ―１，５ミリのため、蚊帳の網１を被つても人の皮膚にとどく可能性があるために、口器の長さ以上のある厚みのある網１が必要である。そのために、例えば掛け布団よりも適宜に大きく裁断された図２の網４の、左右前後を手繰り寄せて、図３の網受大枠の面積を縮小すると網４は脹らみ分厚くなる。その網の断面は図５から図６の状態に厚みが生ずる、それでも蚊の口器がとどく恐れがあるときは２枚重ねて手繰り寄せても良い、（又今日の蚊帳の網製造方法に於いて網が蚊の口器の長さより厚く製作可能なら網１枚を手繰り寄せることはない。）【００１１】  人は熟睡時、体が数分は動かない時にデング熱感染の蚊に刺される恐れがある、蚊の口器より長い、厚みのある網から成る蚊帳がもつとも好ましい。
【考案の効果】
【００１２】  本考案の、寝る時に被る蚊帳の設置は大変に簡単で敷き布団に敷布を掛ける要領で蚊帳が設営できる。デング熱が猛威をふるつている時に、また他の自然震災害が重なつた事態、体育館施設で大勢の人が何日も寝泊りをするなかでは、出入口より蚊が人に沿って入るので、大きな施設内では広範囲のため殺虫剤は利かなく、また従来使用していた吊り蚊帳も使用出来ないので感染予防対策ができない。【００１３】  本考案の、寝る時に被る蚊帳は一枚状態の蚊帳を、被るので、人が横になる寝床の場所があれば蚊帳は簡単に設置、被ることが出来るものである。【００１４】  本考案の、寝る時に被る蚊帳を畳の上の布団での使用では、蚊帳の裾回りのスカート状付縁が重石となって畳に接触して蚊の進入を防ぐことができる。【００１５】  本考案の、寝る時に被る蚊帳をベットでの使用では，ベットの両側に蚊帳の裾回りのスカート状付縁が重石となってベット、マット、布団等の側面に接触して蚊の進入を防ぐことができる。【００１６】  本考案の、寝る時に被る蚊帳は、何枚か重ねられて１枚状態で、構成されているので、その使用方法は簡単な要領で寝床にセットできるもので、蚊帳一枚を人の体に被せるほどであるから，年少者でも寝具の上にセットできるものである。このように人が横になって体を休める寝床の場所があれば蚊帳は簡単にセットできるものである。【００１７】  本考案の、寝る時に被る蚊帳のベットでの使用は、スカート状付縁は、ベットの両脇に垂れて、重石となってベットのマット側面にまた布団の側面にスカート状付縁が密着して蚊の進入を防ぐことができる。【００１８】  本考案は、畳の上の布団での使用は人の体に被せると、蚊帳のスカート状付縁は、畳の面に密着して重石となって蚊の進入を防ぐことができる。【００１９】  本考案の頭から被る蚊帳は網が軽くて、呼吸も困難ではなく、また被つても圧泊感もない。人は寒い時に頭から重い布団を被ったり、もぐったりして眠ることができる。蚊帳が顔に触れて違和感のある人には、網上げ支え具を枕もとに据えて蚊帳を上げると空間の中で、顔に網が触れる事のない状態で眠ることができる。【００２０】  本考案は和室、洋室、体育室、野外テント、バンガーロ等などのような場所でも人が横になれる場所があれば簡単に蚊帳を被り設ける事ができるものであり、デング熱感染も心配する事なく安心して眠る事ができるものである。
【図面の簡単な説明】
【００２１】
【図１】  本考案の、使用状態を示した蚊帳の網を被った側面図。
【図２】  大きく裁断された網の平面図。
【図３】  網受大枠の平面図。
【図４】  本考案に係わる手繰り寄せられた網の平面図。
【図５】  大きく裁断された網の断面図。
【図６】  手繰り寄せられた網の断面図。
【図７】  網受大枠に手繰り寄せられた網を重ねた平面図。
【図８】  本考案に係わるスカート状付縁の平面図。
【図９】  網受大枠に網とスカート状付縁が重ねられて縫い糸により縫い合わされた、本考案の平面図。
【図１０】  本考案の頭部から見た右側面図。
【図１１】  本考案の頭部の網を支板脚で支えた側面図。
【図１２】  本考案の頭部分の網を支板脚で支えた右側面図。
【図１３】  本考案の蚊帳の網を、従来のベットの頭上に設けられた既製の衝立壁１０に掛けた使用状態を示す側面図。
【図１４】  本考案の蚊帳をベットでの使用に於いての頭部からの断面図。（頭部の衝立壁は一部透視）。
【考案を実施するための形態】
【００２２】  以下、本考案を実施するための形態について説明する。本考案の図１に示す、寝る時に被る蚊帳の網１は、上部には顔がゆったり入る大枠２と下部には足首がゆったりと入る大枠２’からなり、網１の裾にはスカート状付縁３が周囲に設けられている。
【００２３】  本考案の図２に示す様に、適宜に大きな寸法の網４の、左右上下を手繰り寄せて図３の網受大枠５の縦横の寸法まで網４の面積を縮めることによって、図５の網の長さが図６に示す様に縮み網４’の断面図の様に脹らみ、弛み、分厚くなる。（蚊の口器の長さより厚くなる様に裁断して手繰りよせる）
【００２４】  本考案の蚊帳の網１は手繰り寄せられて分厚く成って図４の様に収縮しているが、元の面積図２に復元しようと大きくなるため、図３に示す網受大枠３の上に、手繰り寄せられた網４’を重ねて図７に成る、さらに図８のスカート状付縁３が重ねられて図９となり、さらに縫い糸６により、スカート状付縁３の大小碁盤の目の桟７の全周囲りを縫い糸６により縫い合わせ、重層して１枚物に構成して形を崩れないようにしている。
【００２５】  本考案の図１０，図１１、図１２に示す様に畳８上での使用時は布から成るスカート状付縁３の重みが畳に密着する。
【００２６】  図１０右側面図のように、本考案の蚊帳を被る時に、顔に違和感、圧泊感を感じる人には図１１に示す様に頭上に網支板脚９を設けることもできる。
【００２７】  図１１は網支板脚１２により網１を支えている側面図。
【００２８】  図１２は網支板脚９による網１を支えている右側面図。（一部透視）
図１３は、本考案の蚊帳をベットで使用する場合ベットの両脇に垂れたスカート状付縁３は重石となって、布団、ベットの側面に触れているので蚊の進入はない。
図１４は本考案の蚊帳を被って寝返りを何回もした場合、蚊帳がベットよりずれ落ちる場合は、スカート状付縁３を図１４に示す様に、マット１１と布団１２の間に挟む事によって蚊帳は、ずれ落ちる事はない。
本考案は、以上のような構造である。
【符号の説明】
【００２９】１    網
２，２’大枠
３    スカート状付縁
４    適宜に大きな寸法の網
４’  手繰り寄せられた網
５    網受大枠
６    縫い糸
７    桟
８    畳
９    網支板脚
１０  衝立壁
１１  マット
１２  敷布団
【図１】
0003198907.tif 000003
【図２】
0003198907.tif 000004
【図３】
0003198907.tif 000005
【図４】
0003198907.tif 000006
【図５】
0003198907.tif 000007
【図６】
0003198907.tif 000008
【図７】
0003198907.tif 000009
【図８】
0003198907.tif 000010
【図９】
0003198907.tif 000011
【図１０】
0003198907.tif 000012
【図１１】
0003198907.tif 000013
【図１２】
0003198907.tif 000014
【図１３】
0003198907.tif 000015
【図１４】
0003198907.tif 000016